(57)【要約】      （修正有）【課題】高速道路上を移動して補修工事等の小規模の工事を行うに適したコンクリートミキサー車を提供する。【解決手段】車体の荷台の中程に水槽を搭載装備し、後部に骨材（粗骨材、細骨材）をそれぞれ分離して格納する材料格納庫を搭載装備し、後端部付近にミキサ４を配置して折り畳み可能なシュータ９を接続し、シュータ９を伸ばすと車体後部から突出して練り混ぜたコンクリートを吐出させるようにする。このミキサ４の上部に混和剤と水とを混ぜる混合液槽５を配置し、ミキサ４と材料格納庫の間で、ミキサ４の上方に各骨材の計量器を配置し、各骨材の計量からミキサ４への投入、水のミキサ４への注入およびミキサ４での練り混ぜからシュータ９によって施工個所にコンクリートを吐出するまでの作業をすべて車体に設置された装置によって車体上で連続的に行われるようにする。【選択図】図１
0003161558.tif 000002
【実用新案登録請求の範囲】
【請求項１】
車体の荷台の中程に水槽を搭載装備し、後部に骨材（粗骨材、細骨材）をそれぞれ分離して格納する材料格納庫を搭載装備し、後端部付近にミキサを配置して折り畳み可能なシュータを接続し、シュータを伸ばすと車体後部から突出して練り混ぜたコンクリートを吐出させるようにし、このミキサの上部に混和剤と水とを混ぜる混合液槽を配置し、ミキサと材料格納庫の間で、ミキサの上方に各骨材の計量器を配置し、各骨材の計量からミキサへの投入、水のミキサへの注入およびミキサでの練り混ぜからシュータによって施工個所にコンクリートを吐出するまでの作業をすべて車体に設置された上記装置によって車体上で連続的に行われるようにしたことを特徴とするコンクリートミキサ車。
【考案の詳細な説明】
【技術分野】
【０００１】
本考案は、超速硬コンクリートや超早強コンクリートに用いるコンクリートミキサ車に関する。
【背景技術】
【０００２】
高速道路の伸縮装置設置の後打ちコンクリート工事や維持補修工事においては、限られた施工時間内に確実に作業を完了しなければならないものであり、短時間の作業で早期に現場道路を使用可能にするために、使用するセメントとしては超速硬セメントを用いる。
【０００３】
このような緊急作業においては、使用するコンクリートの量は０．５ｍ3以下の少量であるために、２ｔトラックに、セメント、骨材、水、小型コンクリートミキサをそれぞれ積み込んで現場に運送し、現場でこれらの材料により必要量のコンクリートを小型コンクリートミキサによって練り混ぜて用いている。
【考案の概要】
【考案が解決しようとする課題】
【０００４】
しかしながら、上記のような技術においては、それぞれの材料を積み込んだ２ｔトラックで高速道路上を移動して補修工事等の小規模の工事を行うには、材料の積み下ろしやコンクリートミキサ内への材料の投入等の作業性が悪く、さらに、高速道路上での制限された空間での作業であるために、施工時間の制約が厳しく、しかも作業頻度の多い作業には対応しきれず、さらには、一定の品質確保が困難となる等の問題がある。
【０００５】
本考案は、このような問題を解決することを課題とする。
【課題を解決するための手段】
【０００６】
そこで本考案は、トラック（４ｔ）を改造し、コンクリートミキサ、材料格納庫、水タンク、計量器等を搭載装備し、少量の超速硬コンクリートの打設現場において超速硬コンクリートの効率的な確保と共に一定の品質確保を特徴とする。
【考案の効果】
【０００７】
このようにした本考案は、打設現場において、車両上で少量の超速硬コンクリートを効率的に確保することができることにより効率のよい作業を可能にすることや品質の安定した超速硬コンクリートの確保が可能となるという効果が得られる。
【図面の簡単な説明】
【０００８】
【図１】実施例を示す概略斜視図
【図２】概略側面図
【図３】概略平面図
【考案を実施するための形態】
【０００９】
以下、図面を参照して本考案の実施例を説明する。
【００１０】
図１は実施例を示す概略斜視図、図２は概略側面、図３は概略平面図である。
【００１１】
図において、１はトラック車体、２はこの車体１の荷台中程の床下に搭載装備した水槽、３は後部に搭載装備した砂や砂利等の骨材をそれぞれ分離して格納する材料格納庫、４は車体の後端部付近に配置したミキサであり、二つ折れシュータ９が接続されており、シュータ９を伸ばすと車体後部から突出して練り混ぜたコンクリートを吐出させるようになっている。
【００１２】
５はこのミキサ４の付近上部に設置し、混和剤と水とを混ぜる混合液槽、６は車体の中程に設置したコンプレッサ、７はこのミキサ４と材料格納庫３の間で、ミキサ４の上方に配置した計量器、８はセメント置き台である。このセメント置き台８には所定量が袋詰めにされた超速硬セメントが複数載せてある。
【００１３】
上記の各構成のほかに、補充水槽１０、投光機１１、溶接用発電機１２、ガスボンベ１３等が装備されている。
【００１４】
上述した構成の作用について説明する。
【００１５】
床下の水槽からポンプにより加圧して混合液槽５に１回の所定量（本実施例では１４．３ｌ）の水を供給する。そこで水と遅延剤等の必要な混和剤を混合し、バルブの操作によってミキサ４に吐出する。
【００１６】
材料格納庫３から１回分の粗骨材（本実施例では１０９．７ｋｇ）および細骨材（本実施例では７３．３ｋｇ）をそれぞれ計量器７に取り出す。所定量に達したら、ボタン操作によって計量器７の底が開き、ミキサ４内に投入される。
【００１７】
さらに、１回分（本実施例では４０ｋｇ）が袋詰めになっている超速硬セメントを作業員がミキサ４内に投入する。
【００１８】
ここで、骨材の表面水を考慮して必要に応じて調整水を添加する。
【００１９】
約３分間ミキサ４を駆動して練り混ぜる。
【００２０】
練り混ぜたコンクリートはシュータ９から施工個所に吐出する。以上の工程を必要回数繰り返して施工個所にコンクリートを充填して完了する。
【００２１】
以上の作業工程おいて、ミキサ４からシュータ９によって施工個所に吐出されたコンクリートを平らに均す作業以外はすべて車体に設置された装置によって車体上で連続的に行われることになる。
【符号の説明】
【００２２】
１車体
２水槽
３材料格納庫
４ミキサ
５混合液槽
６コンプレッサ
７計量器
８セメント置き台
９シュータ
１０補充水槽
１１投光機
１２溶接用発電機
１３ガスボンベ
【図１】
0003161558.tif 000003
【図２】
0003161558.tif 000004
【図３】
0003161558.tif 000005
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
車体の荷台の中程に水槽を搭載装備し、後部に粗骨材および細骨材をそれぞれ分離して格納する材料格納庫を搭載装備し、後端部付近にミキサを配置して折り畳み可能なシュータを接続し、シュータを伸ばすと車体後部から突出して練り混ぜたコンクリートを吐出させるようにし、このミキサの上部に混和剤と水とを混ぜる混合液槽を配置し、ミキサと材料格納庫の間で、ミキサの上方に各骨材の計量器を配置し、各骨材の計量からミキサへの投入、水のミキサへの注入およびミキサでの練り混ぜからシュータによって施工個所にコンクリートを吐出するまでの作業をすべて車体に設置された装置によって車体上で連続的に行われるようにしたことを特徴とするコンクリートミキサ車。